(57)【要約】      （修正有）【課題】スナップリングが拡げられ難い配管ジョイント付スチームトラップを提供する。【解決手段】第１の通路１０と第２の通路１２を一側面に有するトラップケーシング２と、一対のリング半体４，４からなるリング部材とスナップリング５によりトラップケーシング２の外周に連結される接続部材３と、第１の通路１０に連通する第１の連結路１１及び第２の通路１２に連通する第２の連結路１３を有しトラップケーシング２に回動自在に着脱される配管ジョイント部材６と、トラップケーシング２に連結された接続部材３と配管ジョイント部材６を固定する固定ボルトとを具備し、スナップリング５の外側に接続部材３の内周が位置する。【選択図】図１
2014098417.tif 000002
【特許請求の範囲】
【請求項１】
入口あるいは出口となる第１及び第２の通路を一側面に有するトラップケーシングと、一対のリング半体からなるリング部材とスナップリングによりトラップケーシングの外周に連結される接続部材と、第１の通路に連通する第１の連結路及び第２の通路に連通する第２の連結路を有しトラップケーシングに回動自在に着脱される配管ジョイント部材と、トラップケーシングに連結された接続部材と配管ジョイント部材を固定する固定ボルトとを具備するものにおいて、スナップリングの外側に接続部材の内周が位置することを特徴とする配管ジョイント付スチームトラップ。
【発明の詳細な説明】
【技術分野】
【０００１】
本発明は蒸気系から蒸気は排出することなく、凝縮水である復水を自動的に系外に排出するスチームトラップに関し、特に、種々の配管取り付け状態に応じてスチームトラップを取り付けることのできるものに関する。
【背景技術】
【０００２】
配管ジョイント付スチームトラップは、例えば、特許文献１に示されたものがある。これは、入口あるいは出口となる第１及び第２の通路を一側面に有するトラップケーシングと、一対のリング半体からなるリング部材とスナップリングによりトラップケーシングの外周に連結される接続部材と、第１の通路に連通する第１の連結路及び第２の通路に連通する第２の連結路を有しトラップケーシングに回動自在に着脱される配管ジョイント部材と、トラップケーシングに連結された接続部材と配管ジョイント部材を固定する固定ボルトとを具備するものである。
【先行技術文献】
【特許文献】
【０００３】
【特許文献１】特開昭６１−１６０６９９号公報
【発明の概要】
【発明が解決しようとする課題】
【０００４】
上記従来の配管ジョイント付スチームトラップは、スナップリングが不用意に拡げられ易く、拡げられるとスナップリングがトラップケーシングから脱落する問題がある。
【０００５】
したがって本発明が解決しようとする課題は、スナップリングが拡げられ難い配管ジョイント付スチームトラップを提供することである。
【課題を解決するための手段】
【０００６】
上記の課題を解決するために、本発明の配管ジョイント付スチームトラップは、入口あるいは出口となる第１及び第２の通路を一側面に有するトラップケーシングと、一対のリング半体からなるリング部材とスナップリングによりトラップケーシングの外周に連結される接続部材と、第１の通路に連通する第１の連結路及び第２の通路に連通する第２の連結路を有しトラップケーシングに回動自在に着脱される配管ジョイント部材と、トラップケーシングに連結された接続部材と配管ジョイント部材を固定する固定ボルトとを具備するものにおいて、スナップリングの外側に接続部材の内周が位置することを特徴とするものである。
【発明の効果】
【０００７】
本発明の配管ジョイント付スチームトラップは、スナップリングの外側に接続部材の内周が位置させることにより、スナップリングを拡げられ難くすることができるという優れた効果を生じる。
【図面の簡単な説明】
【０００８】
【図１】本発明の実施の形態に係わる配管ジョイント付スチームトラップの断面図である。
【図２】図１の右側面図である。
【発明を実施するための形態】
【０００９】
以下、本発明の実施の形態について、図１と図２を参照して説明する。本実施の形態はスチームトラップとしてディスク式スチームトラップを用いた例を示す。スチームトラップ１のトラップケーシング２と接続部材３を一対のリング半体４，４からなるリング部材とスナップリング５により連結し、トラップケーシング２に連結された接続部材３とトラップケーシング２に回動自在に着脱される配管ジョイント部材６をボルト７，７により固定する。配管ジョイント部材６は、同軸上に上部に入口通路８と下部に出口通路９を有し、その中央部にスチームトラップ１の入口である第１の通路１０に連通する第１の連結路１１を有すると共に、第１の連結路１１の下方にスチームトラップ１の出口である第２の通路１２に連通する第２の連結路１３を有する。入口通路８と第１の連結路１１の間に円筒状で多数の細孔を有するスクリーン１４を配置する。スクリーン１４の円筒内面は入口通路８と連通し、円筒外面は第１の連結路１１と連通する。第２の通路１２は、第１の通路１０を囲む環状溝１５を介して第２の連結口１３と連通する。環状溝１５は第２の通路１２と第２の連結口１３の少なくとも一方側に設けることができる。環状溝１５と第１の通路１０の端部には気密を維持するためのガスケット１６，１７を介在させる。
【００１０】
トラップケーシング２は外周に環状の右係止溝１８と環状の左係止溝１９を有する。接続部材３は平板リング状で内周に環状の右段部２０と環状の左段部２１を有する。接続部材３の右段部２０と左段部２１の間を挟んで右係止溝１８に一対のリング半体４，４からなるリング部材を係合するとともに左係止溝１９にスナップリング５を係合することにより、トラップケーシング２と接続部材３を連結し、その後、トラップケーシング２に連結された接続部材３を配管ジョイント部材６のフランジ部２２に対面させて固定ボルト７，７により固定する。一対のリング半体４，４からなるリング部材の外側に接続部材３の内周が位置するとともにスナップリング５の外側に接続部材３の内周が位置する。トラップケーシング２に蓋部材２３を取り付けて、内部に変圧室２４を形成する。変圧室２４内にディスク弁２５を自由状態で配置する。前記した第１の通路１０が変圧室２４に連通する。また変圧室２４は円筒状凹溝２６を介して前記した第２の通路１２と連通する。
【００１１】
上記実施の形態の作動を説明する。図１に示す配管取り付け状態は、配管ジョイント部材６の入口通路８と出口通路９を上から下へ鉛直縦方向に配置し、スチームトラップ１も同じく縦方向に取り付けた状態を示しており、例えば、スチームトラップ１を縦方向のままで、配管ジョイント部材６の入口通路８と出口通路９を水平の横方向に変更する場合は、ボルト７，７を緩めて配管ジョイント部材６と接続部材３を９０度回転した後ボルト７，７を締めることにより、配管状態を適宜変更することができる。入口通路８から流入してくる復水と蒸気の混合流体は、スクリーン１４の細孔を通過することにより流体中の異物が捕捉され、第１の連結路１１と第１の通路１０を経てディスク弁２５の下部に溜まる。変圧室２４内の蒸気圧力が自然放熱により低下すると、ディスク弁２５を押し下げる力よりも押し上げる力の方が強くなり、ディスク弁２５が上昇して開弁する。ディスク弁２５が開弁すると復水は円筒状凹溝２６と第２の通路１２及び環状溝１５と第２の連結路１３を経て出口通路９に至り系外に排除される。復水が排出され、蒸気が変圧室２４内に流入すると、ディスク弁２５下面を通過する流体の速度が瞬時に上昇して静圧低下を来たすと共に、変圧室２４内の蒸気圧力も上昇することにより、ディスク弁２５は閉弁して、蒸気の出口通路９側への排出を防止する。
【００１２】
尚、本実施の形態においては、スチームトラップとしてディスク式スチームトラップを用いた例を示したが、その他従来から使用されているトラップ、例えば、フロート式トラップやバケット式トラップ、あるいは、バイメタル式トラップやメンブレン式トラップを用いることもできる。
【産業上の利用可能性】
【００１３】
本発明は、種々の配管取り付け状態に応じてスチームトラップを取り付けることのできる配管ジョイント付スチームトラップに利用することができる。
【符号の説明】
【００１４】
１  スチームトラップ
２  トラップケーシング
３  接続部材
４  リング半体
５  スナップリング
６  配管ジョイント部材
７  ボルト
１０  第１の通路
１１  第１の連結路
１２  第２の通路
１３  第２の連結路
１８  右係止溝
１９  左係止溝
２０  右段部
２１  左段部
２５  ディスク弁
【図１】
2014098417.tif 000003
【図２】
2014098417.tif 000004